(57)【要約】      （修正有）【課題】地面に突出する部分が回転することで地中の草の根を除去する、草刈機に取り付けて使用するアダプターにおいて、地面に突出する部分が磨耗してもすぐに交換する必要がなく、また、地面側への突出量も調節できるようにした草根除去アダプターを提供する。【解決手段】鉛直な回転軸に着脱できる回転刃を取り付けて草を刈る草刈機に、回転刃に代えて取り付けられる草根除去アダプターＸとして、中央部に取付穴となる貫通孔１１が形成された平らな板体からなる本体部１０と、本体部に１以上形成される貫通したねじ穴と、当該ねじ穴に係合するボルト３０とから構成する。【選択図】図２
0003192185.tif 000002
【実用新案登録請求の範囲】
【請求項１】
鉛直な回転軸に着脱できる回転刃を取り付けて草を刈る草刈機に、回転刃に代えて取り付けられる草根除去アダプターであって、
中央部に取付穴となる貫通孔が形成された平らな板体からなる本体部と、
本体部に１以上形成される貫通したねじ穴と、
当該ねじ穴に係合するボルトと
を有する草根除去アダプター。
【請求項２】
前記ボルトには前記ねじ穴とは別にナットが係合しているものである請求項１に記載の草根除去アダプター。
【請求項３】
前記ねじ穴は複数存し、前記貫通孔に対する異なる複数の同心円上に設けられるものである請求項１又は２に記載の草根除去アダプター。
【請求項４】
前記本体部は円盤状であり、外周端近傍は本体部を構成する板の厚さよりも当該厚さ方向に関し幅が大きくなるように形成されている請求項１から３のいずれか１項に記載の草根除去アダプター。
【考案の詳細な説明】
【技術分野】
【０００１】
本考案は草刈機に取り付ける、草の根を除去するために用いるアダプターに関するものである。
【背景技術】
【０００２】
手持ち式の草刈機は、先端にエンジンあるいは電動で回転する鉛直軸に刃を取り付けたもので、長尺の柄を持ち、草に対して刃を水平に動かすことで草を刈るものである。草刈機は刃をある程度地面から浮かせた状態で保持する必要があるために、茎の根元からやや上しか刈り取ることができず、草の根を除去ことは困難である。
これに対して、下記特許文献には回転する刃を斜め下方若しくは下方に向けて設置するものが示されており、このような構造によれば地面に存する草の根を除去することが可能である。
【先行技術文献】
【特許文献】
【０００３】
【特許文献１】実用新案登録第3175442号
【特許文献２】特開2009-297015号公報
【特許文献３】特開2010-154823号公報
【特許文献４】実用新案3117704
【特許文献５】特開2009-11308号公報
【考案の概要】
【考案が解決しようとする課題】
【０００４】
ところで、上記特許文献に記載の考案は、刃が磨耗すると交換しなければならず、また、刃の突出量を調節することもできない。
本考案は、このような問題に鑑みて、地面に突出する部分が回転することで地中の草の根を除去する、草刈機に取り付けて使用するアダプターにおいて、地面に突出する部分が磨耗してもすぐに交換する必要がなく、また、地面側への突出量も調節できるようにすることを課題とする。
【課題を解決するための手段】
【０００５】
上記課題を解決するために、本考案は次のような構成を有する。
請求項１に記載の考案は、鉛直な回転軸に着脱できる回転刃を取り付けて草を刈る草刈機に、回転刃に代えて取り付けられる草根除去アダプターであって、中央部に取付穴となる貫通孔が形成された平らな板体からなる本体部と、本体部に１以上形成される貫通したねじ穴と、当該ねじ穴に係合するボルトとを有するものである。
請求項２に記載の考案は、前記草根除去アダプターにおいて、前記ボルトには前記ねじ穴とは別にナットが係合しているものである。
請求項３に記載の考案は、前記草根除去アダプターにおいて、前記ねじ穴は複数存し、前記貫通孔に対する異なる複数の同心円上に設けられるものである。
請求項４に記載の考案は、前記草根除去アダプターにおいて、前記本体部は円盤状であり、外周端近傍は本体部を構成する板の厚さよりも当該厚さ方向に関し幅が大きくなるように形成されているものである。
【考案の効果】
【０００６】
請求項１に記載の考案は、草刈機に取り付けると、ボルト先端が地面側に突出するので、これを回転させるとボルト先端によって地面内の草の根を除去することができる。そして、ボルトを回転させれば突出量を調節することができるので、先端が磨耗した場合には、ボルトを回転させて磨耗した分だけ突出させれば、磨耗していなかったときと同じ状態に戻すことができる。また、地面の状態に応じてボルトを回転させることで、適宜地面側への突出量を調節することができる。
請求項２に記載の考案は、前記ねじ穴とは別にボルトにナットを係合させることで、前記ねじ穴とナットとで互いに締め付け合うことでダブルナットの原理により、ボルトを所望の位置にしっかりと固定することができる。
請求項３に記載の考案は、ボルトが回転軸に対して異なる同心円上に存在することで、地面内において異なる複数の軌道をボルト先端が移動するので、より効率的に草の根を除去することができる。
請求項４に記載の考案は、本体部の外周を厚くすることで、本体外周で草の茎を傷つけにくくなるので、下方の草の根を除去する際に、近くの草木を痛めることを抑制することができる。
【図面の簡単な説明】
【０００７】
【図１】（ａ）は実施形態に係る草根除去アダプターの底面図であり、（ｂ）は（ａ）のA-A線断面図である。
【図２】実施形態に係る草根除去アダプターの分解斜視図である。
【図３】実施形態に係る草根除去アダプターを取り付けた状態の草刈機先端近傍の拡大側面図である。
【考案を実施するための形態】
【０００８】
以下、本考案の実施の形態について、図面を参照しながら説明する。
図１（ａ）に本実施形態に係る草根除去アダプターＸの底面図を示し、図１（ｂ）に図１（ａ）のA-A線断面図を示す。また、図２に草根除去アダプターＸの分解斜視図を示す。草根除去アダプターＸは、円盤状の板体からなる本体部１０、本体部１０に形成されるボルト固定部２０、ボルト固定部２０に固定されるボルト３０、ボルト３０を覆うボルトキャップ４０から構成される。
本体部１０は外周縁を上方に湾曲させることで外周近傍の幅をやや広く形成するとともに、中央部を上方が円錐台状に突出するように形成したものである。中央部には所定の草刈り機に取り付けるための貫通孔１１が形成されている。本体部１０はここでは外径が１８０mmに形成されている。
【０００９】
ボルト固定部２０は、前記本体部１０に形成される貫通孔と、当該貫通孔部分上面側に溶接固定される溶接ナット２０ａとから構成される。すなわち、ボルト固定部２０はボルトを固定する溶接ナット２０ａからなる貫通したねじ穴により構成される。貫通孔は内径６mm、５mm、４mmのものが２つずつ、合計６つ形成される。同じ内径の貫通孔は本体部１０の中心を挟んで対称に形成される。また、内径６mmの貫通孔は、本体部１０と中心を共通にする半径７５mmの円周上に設けられ、内径５mmの貫通孔は、本体部１０と中心を共通にする半径６０mmの円周上に設けられ、内径４mmの貫通孔は、本体部１０と中心を共通にする半径４５mmの円周上に設けられる。さらに、図１（ａ）に示す内径５mmの貫通孔同士を結ぶ直線と、内径６mmの貫通孔同士を結ぶ直線とのなす角rは４５度に形成され、内径６mmの貫通孔同士を結ぶ直線と、内径４mmの貫通孔同士を結ぶ直線とのなす角sも４５度に形成されている。そして、内径６mmの貫通孔に対してはＭ６の溶接ナット２０ａが溶接固定され、内径５mmの貫通孔に対してはＭ５の溶接ナット２０ａが溶接固定され、内径４mmの貫通孔に対してはＭ４の溶接ナット２０ａが溶接固定されている。
【００１０】
ボルト３０は、呼び長さが３０mmの全ねじである六角ボルトであり、各ボルト固定部２０のそれぞれの呼び径を有する溶接ナット２０ａに係合する呼び径を有するものが２本ずつ、合計６本取り付けられる。また、ボルト３０にはこれに係合するナット３０ａがヘッド側に予め係合固定されている。ボルト３０は高炭素鋼、ステンレス、チタン等、高硬度の素材が用いられる。
ボルトキャップ４０はボルト３０それぞれの上方側に被せて固定する上面が閉じられたゴム製の円筒体であり、Ｍ４、Ｍ５、Ｍ６のそれぞれのボルト３０に対して、ボルトヘッドに嵌って固定できる内径に形成されている。ボルトキャップ４０の長さは、ボルト３０の突出量の調整に支障がないような長さに形成される。
【００１１】
このような構成を有する草根除去アダプターＸの使用方法について以下に説明する。まず、使用者は、ボルトキャップ４０をはずして、ボルト３０に係合しているナット３０ａをヘッド側に移動させた状態で、ボルト３０を回転させて、ボルト３０が本体部１０の底面から突出する長さを調節する。ここでは、各ボルト３０が本体部１０底面から５ｍｍ突出するように調節するものとする。その後、ボルト３０に係合しているナット３０ａを回転させて本体部１０に接触するまで移動させ、さらに締め付けることでボルト３０をしっかりと固定する。その後、ボルトキャップ４０を各ボルト３０に装着する。次に、本体部１０の貫通孔１１を介して、図３に示すように草刈機Ｃに草根除去アダプターＸを固定する。この状態で、草刈機Ｃを駆動して草根除去アダプターＸを回転させて、草の根を除去する地面に押し当てる。このような動作によってボルト３０の先端が地面内を削りながら回転するので、地面内に存する草の根を切断し除去していくことができる。
本実施形態に係る草根除去アダプターＸは以上のような構造及び作用によって、必要に応じてボルト３０の突出量を調節することができ、また、ボルト３０の先端が磨耗しても、ボルト３０の長さに余裕がある限り、磨耗した分だけボルト３０を移動させれば元の状態に戻すことができる。
さらに、３組のボルトは太さが異なり、また、異なる同心円上に配置されているので、地面に沿って動かすことで、より広範囲かつランダムに地中を攪拌することができる。また、本体部の外周縁が上方に曲がっていることで、周囲の草木に本体部が接触してもこれを切断してしまうことを抑制することができ、さらに、地面に本体部１０の外縁が地面に触れても、本体部１０が激しく跳ね返ることを抑制することができる。
【００１２】
なお、上記実施形態で示した、ボルトの数、位置、太さ等は必要に応じて適宜変更してもよい。また、ボルト固定部２０は溶接ナットに変えて、本体部の貫通孔に直接ネジを切ってもよい。さらに、本体部の形状は円盤状に限らず、角形や棒状などでもよい。
【符号の説明】
【００１３】
Ｘ  草根除去アダプター
Ｃ  草刈機
１０  本体部
１１  貫通孔
２０  ボルト固定部
２０ａ  溶接ナット
３０  ボルト
３０ａ  ナット
４０  ボルトキャップ
【図１】
0003192185.tif 000003
【図２】
0003192185.tif 000004
【図３】
0003192185.tif 000005